(57)【要約】【課題】雄端子電気接触部と安定的な接触状態が持続し、接触信頼性に優れた雌型端子を得る。【解決手段】雌型端子１００において、前端に雄端子電気接触部１１を受け入れる開口部２７を有した角筒状電気接触部１３と、この角筒状電気接触部１３内に基端２９が接続して設けられ開口部２７から挿入された雄端子電気接触部１１を角筒状電気接触部１３内の一つの内壁面３７に向かって押圧する弾性押圧片３３と、雄端子電気接触部１１と弾性押圧片３３の間に介在するよう角筒状電気接触部１３内に別体で保持され且つ雄端子電気接触部１１と平行に接触する平行接触部５１を有する中間部材４９と、を設けた。雌型端子１００は、一つの内壁面２７を挟んで隣接する一対の平行な両側壁のそれぞれに内方に突出する突起５７を形成して、中間部材４９を、突起５７と弾性押圧片３３の間で保持することができる。【選択図】図１
2010251205.tif 000002
【特許請求の範囲】
【請求項１】
前端に雄端子電気接触部を受け入れる開口部を有した角筒状電気接触部と、
該角筒状電気接触部内に基端が接続して設けられ前記開口部から挿入された雄端子電気接触部を該角筒状電気接触部内の一つの内壁面に向かって押圧する弾性押圧片と、
前記雄端子電気接触部と該弾性押圧片の間に介在するよう前記角筒状電気接触部内に別体で保持され且つ前記雄端子電気接触部と平行に接触する平行接触部を有する中間部材と、
を具備したことを特徴とする雌型端子。
【請求項２】
請求項１記載の雌型端子であって、
前記一つの内壁面を挟んで隣接する一対の平行な両側壁のそれぞれに内方に突出する突起が形成され、
前記中間部材が、該突起と前記弾性押圧片の間で保持されることを特徴とする雌型端子。
【請求項３】
請求項１又は請求項２記載の雌型端子であって、
前記平行接触部の接触面に、複数の平行な凸条が形成されたことを特徴とする雌型端子。
【請求項４】
請求項１〜請求項３のいずれか１項記載の雌型端子であって、
前記中間部材の雄端子挿入方向の両端部に、前記弾性押圧片の押圧方向と反対方向に向かって突出し前記一つの内壁面に対向する他の内壁面に当接することで前記弾性押圧片の過剰変形を規制するストッパー片が設けられたことを特徴とする雌型端子。
【請求項５】
請求項１〜請求項４のいずれか１項記載の雌型端子であって、
前記中間部材は、前記角筒状電気接触部と連結帯を介して同一展開材料で形成されるとともに、前記連結帯を境に所定位置に折り曲げ配置され、前記連結帯が切断されることで前記介在位置に保持されたことを特徴とする雌型端子。
【発明の詳細な説明】
【技術分野】
【０００１】
本発明は、雄端子電気接触部との接触面積を拡大させ、安定的な接触状態が持続する雌型端子に関する。
【背景技術】
【０００２】
近年、地球環境保全の観点から資源の有効利用が工業生産の理念となり、製品のさらなる長寿命化が要請される傾向にある。例えば車両、特に自動車では１０年以上の使用も一般的となっている。このような状況下においても自動車では安全性、信頼性が維持され続けなければならないのは言うまでもない。
【０００３】
ところで、車載電気電子部品を電気的に接続して機能させるワイヤハーネスは、自動車において神経や血管と同等の役割を果たす。このワイヤハーネスと電気電子部品を接続するコネクタは、従来から良好な作業性での確実な結合が要求されているが、上記した理由から今日ではさらにより長期に亘る信頼性の確保が必要となってきている。
【０００４】
コネクタには導電性金属からなる端子が内設され、相互に結合されることにより内部の端子同士が接触して電気導通状態となる。コネクタは、車両走行中の振動や搭載機器の作動時の振動あるいはエンジンの振動等によって端子相互に微摺動の生じることがある。この微摺動は、短中期の使用であれば支障となることは極めて希であるが、１０年以上の長期ともなれば、摩耗が進行したり、摩耗粉が酸化絶縁物となって接触抵抗を高めたりするなど、顕著な支障となって接触信頼性を低下させる虞がある。
【０００５】
このような不具合を解消するものに例えば特許文献１に開示される端子構造は、雄型の端子を雌型の端子の弾性接触部に接触させる端子構造で、雌型の端子の弾性接触部以外の箇所に係止部を設け、係止部に対する係合部を雄型の端子に設けている。係止部は可撓性の係止アームであり、係合部は孔部である。弾性接触部による電気的接触と係止アームによる微摺動防止とは別々の部位で行われる。すなわち、弾性接触部は係止アームと独立して雄型の端子に接触する。そして、係止アームに孔部が係合することで、両端子の端子挿入方向及び端子挿入直交方向（幅方向）の微摺動が抑止される。これにより、雄・雌両端子の電気的接触性を良好に確保しつつ微摺動による摩耗の防止を可能としている。
【先行技術文献】
【特許文献】
【０００６】
【特許文献１】特開２００４−１３９８２６号公報
【発明の概要】
【発明が解決しようとする課題】
【０００７】
しかしながら、上記特許文献１に開示される端子構造は、両端子の端子挿入方向及び端子挿入直交方向（幅方向）における微摺動の抑止を図るが、図１０に示すように、一般的にへ字状に折り曲げ形成した弾性押圧片５０１を角筒状電気接触部５０３に備える雌型端子５００では、雄端子電気接触部（雄端子タブ）５０５に弾性押圧片５０１のＲ形状の頂点５０１ａを接触させる。このため、図１１に示すように、振動や衝撃等により雄端子タブ５０５に対して雌型端子５００が接触部Ｐ、Ｐ１、Ｐ２を支点に斜めに傾くように動いてしまう。その結果、不安定となった接触部Ｐ、Ｐ１、Ｐ２に摩耗が発生し、酸化摩耗粉が堆積して電気抵抗が上昇する虞があった。なお、図中のＦ１、Ｆ２は雌型端子５００に作用する力の向きを示す。これに対し、弾性押圧片５０１と雄端子タブ５０５の接触面積を増やせば、安定的な接触状態への改善が可能となるが、一般的なへ字状弾性押圧片５０１では、雄端子タブ５０５に平行に接触する水平面の形成が難しい。平行面で接触させるには、弾性変位する接触平面を平行移動させる必要があるからである。
また、弾性押圧片５０１を備えた雌型端子５００は、図１２（ａ）に示すように、雄端子タブ５０５や治工具等が斜めに挿入された場合、容易に弾性押圧片５０１が過剰変形してしまう。その結果、図１２（ｂ）に示すように、塑性変形δが残り、その後雄端子タブ５０５が正規に挿入されても、必要な接触押圧力が加えられず、安定した電気的性能が得られない虞が生じた。
本発明は上記状況に鑑みてなされたもので、その第一の目的は、雄端子電気接触部と安定的な接触状態が持続し、接触部の摩耗による電気的接続性能の低下を防止でき、接触信頼性に優れた雌型端子を提供することにある。また、その第二の目的は、雄端子電気接触部が斜めに挿入されることによる弾性押圧片の過剰変形を防止し、安定的な接触状態が持続し、接触信頼性に優れた雌型端子を提供することにある。
【課題を解決するための手段】
【０００８】
本発明に係る上記目的は、下記構成により達成される。
（１）  前端に雄端子電気接触部を受け入れる開口部を有した角筒状電気接触部と、
該角筒状電気接触部内に基端が接続して設けられ前記開口部から挿入された雄端子電気接触部を該角筒状電気接触部内の一つの内壁面に向かって押圧する弾性押圧片と、
前記雄端子電気接触部と該弾性押圧片の間に介在するよう前記角筒状電気接触部内に別体で保持され且つ前記雄端子電気接触部と平行に接触する平行接触部を有する中間部材と、
を具備したことを特徴とする雌型端子。
【０００９】
この雌型端子によれば、中間部材の平行接触部が雄端子電気接触部と平行に接触し、雄端子電気接触部が接触部を支点に斜めに傾くように動くことがなく、接触部の摩耗による酸化摩耗粉の堆積がなくなる。接触面が増大することで、安定的な接触状態が持続される。酸化摩耗粉が生じても、接触面が拡大されていることで、酸化摩耗粉が介在することによる電気的接続性能の低下が生じ難くなる。
【００１０】
（２）  （１）の雌型端子であって、
前記一つの内壁面を挟んで隣接する一対の平行な両側壁のそれぞれに内方に突出する突起が形成され、
前記中間部材が、該突起と前記弾性押圧片の間で保持されることを特徴とする雌型端子。
【００１１】
この雌型端子によれば、弾性押圧片にて押圧される別体の中間部材を突起に当接し、弾性押圧片と突起にて挟持して、角筒状電気接触部から脱落不能にし、且つ弾性押圧片を弾性変形させる方向に可動可能に保持することができる。
【００１２】
（３）  （１）又は（２）の雌型端子であって、
前記平行接触部の接触面に、複数の平行な凸条が形成されたことを特徴とする雌型端子。
【００１３】
この雌型端子によれば、雄端子電気接触部と中間部材の接触面積を、従来端子に比べて増大させ、安定的な電気接続性を確保しつつ、雄端子電気接触部との摩擦を低減させ、コネクタ結合時の作業性低下を防止できる。
【００１４】
（４）  （１）〜（３）のいずれか１つの雌型端子であって、
前記中間部材の雄端子挿入方向の両端部に、前記弾性押圧片の押圧方向と反対方向に向かって突出し前記一つの内壁面に対向する他の内壁面に当接することで前記弾性押圧片の過剰変形を規制するストッパー片が設けられたことを特徴とする雌型端子。
【００１５】
この雌型端子によれば、雄端子電気接触部が斜めに挿入され、弾性押圧片が過剰に変形されようとした際、ストッパー片が他の内壁面に当接してそれ以上の変形が阻止され、弾性押圧片が弾性限度を超え、所定の接触圧力が得られなくなることによる電気的接続性能の低下が防止される。
【００１６】
（５）  （１）〜（４）のいずれか１つの雌型端子であって、
前記中間部材は、前記角筒状電気接触部と連結帯を介して同一展開材料で形成されるとともに、前記連結帯を境に所定位置に折り曲げ配置され、前記連結帯が切断されることで前記介在位置に保持されたことを特徴とする雌型端子。
【００１７】
この雌型端子によれば、別体の中間部材を弾性押圧片上に載置した状態で、角筒状電気接触部を折り曲げ形成する場合の中間部材の困難な仮保持が不要となる。すなわち、中間部材を連結帯にて片持ち梁状に保持した状態で、角筒状電気接触部の折り曲げ加工が容易に可能となり、別体の中間部材を別段に保持する必要がなくなり、生産性を向上させることができる。また、弾性押圧片を押下した状態、すなわち、中間部材に予荷重を加えた状態での組み付けが可能となる。
【発明の効果】
【００１８】
本発明に係る雌型端子によれば、挿入された雄端子電気接触部を押圧する弾性押圧片を、角筒状電気接触部の内部に設け、雄端子電気接触部と平行に接触する平行接触部を有した中間部材を、雄端子電気接触部と弾性押圧片の間に介在するよう角筒状電気接触部内に別体で保持したので、雄端子電気接触部と安定的な接触状態が持続し、接触部の摩耗による電気的接続性能の低下を防止できる。この結果、長寿命で、接触信頼性に優れた雌型端子を提供できる。
【図面の簡単な説明】
【００１９】
【図１】本発明に係る雌型端子の角筒状電気接触部を切り欠いた側面図である。
【図２】図１に示した雌型端子の正面図である。
【図３】図１に示した雌型端子の展開材料の平面図である。
【図４】異なる凸条の形成された中間部材を（ａ），（ｂ）で示した斜視図である。
【図５】雄端子タブの挿入された状態の雌型端子の一部分を切り欠いた側面図である。
【図６】雄端子タブが斜めに挿入された状態の雌型端子の一部分を切り欠いた側面図である。
【図７】ばね変位量が小さく抑えられた発明に係る雌型端子の一部分を切り欠いた側面図である。
【図８】ばね変位量が大きい比較例に係る雌型端子の一部分を切り欠いた側面図である。
【図９】比較例に係る雌型端子において中間部材が動いた状態を（ａ），（ｂ）に示す一部分を切り欠いた側面図である。
【図１０】従来の雌型端子と雄端子電気接触部の接触状態の断面図である。
【図１１】従来の端子構造に振動や衝撃が加わった際の状況を（ａ），（ｂ）に表した断面図である。
【図１２】従来の雌型端子において雄端子電気接触部が斜めに挿入された状況を（ａ）、必要な接触押圧が得られなくなった雌型端子を（ｂ）に表した断面図である。
【発明を実施するための形態】
【００２０】
以下、本発明に係る雌型端子の好適な実施の形態について図面を参照して説明する。
図１は本発明に係る雌型端子の角筒状電気接触部を切り欠いた側面図である。
本実施の形態による雌型端子１００は、導電性金属板からなる同一展開材料にて各部が形成される。なお、本明細書中、雌型端子１００の雄端子タブ挿入側は前、被覆電線接続側は後として説明する。雌型端子１００は、雄端子電気接触部（雄端子タブ）１１と電気的に接触する前部の角筒状電気接触部１３と、被覆電線１５を圧着する後部の電線接続部１７とに大別構成される。
【００２１】
電線接続部１７は、角筒状電気接触部１３に連設される導体加締め片１９と、その後方に連設される被覆電線加締め片２１とからなる。導体加締め片１９は、被覆電線１５から被覆２３を除去した導体２５を加締め固定する。被覆電線加締め片２１は、被覆電線１５を被覆２３の上から加締め固定する。
【００２２】
角筒状電気接触部１３は、前端に雄端子タブ１１を受け入れる開口部２７を有する。角筒状電気接触部１３の内部には基端２９を底壁３１に接続する弾性押圧片３３が設けられ、弾性押圧片３３はへ字状に折り曲げられて先端部３５が自由端となる。弾性押圧片３３は、開口部２７から挿入された雄端子タブ１１を角筒状電気接触部１３の一つの内壁面である天壁３７に向かって押圧する。
【００２３】
底壁３１の両側には側壁３９（図２参照）、４１が立設され、一方の側壁３９は天壁３７に連続し、他方の側壁４１は天壁３７に上から被せられる上板４３に連続する。上板４３には先端折曲部４５、後端垂設部４７が形成され、先端折曲部４５及び後端垂設部４７は天壁３７と上板４３との雄端子挿入方向ａの相対移動を規制する。雌型端子１００は金属母材を所定形状に打ち抜いた、後述の展開材料に叩き加工や曲げ加工などを施すことで所望の形状に成形されている。
【００２４】
角筒状電気接触部１３の内部には雄端子タブ１１と弾性押圧片３３の間に介在するよう別体の中間部材４９が保持され、中間部材４９は雄端子タブ１１と平行に接触する平行接触部５１を有する。本実施の形態では、平行接触部５１が平面で形成されているが、後の変形例（図４参照）で示すように、平行接触部５１には複数の平行な凸条が形成されてもよい。中間部材４９は、平行接触部５１の前後に下り傾斜となる傾斜部５３，５５を有する。
【００２５】
図２は図１に示した雌型端子の正面図である。
底壁３１を挟んで隣接する一対の平行な両側壁３９、４１のそれぞれには内方に突出する一対の突起５７，５７が前後に合計二対形成され、突起５７，５７は中間部材４９の傾斜部５３，５５に上方から当接している。つまり、中間部材４９は、突起５７，５７と弾性押圧片３３の間で保持されている。弾性押圧片３３にて押圧される別体の中間部材４９を突起５７，５７に当接し、弾性押圧片３３と突起５７，５７にて挟持することで、中間部材４９を、角筒状電気接触部１３から脱落不能にし、且つ弾性押圧片３３を弾性変形させる方向（矢印ｂ方向）に可動可能に保持している。
【００２６】
図３は図１に示した雌型端子の展開材料の平面図である。
中間部材４９は、角筒状電気接触部１３と連結帯５９を介して同一展開材料６１で形成されている。すなわち、連結帯５９を境に所定位置に折り曲げ配置され、連結帯５９が切断されることで介在位置に保持される。より具体的には、先ず、両側壁３９、４１に突起５７，５７を図３の紙面裏側から打ち出し加工する。弾性押圧片３３を底壁３１から切り起こしする。中間部材４９に傾斜部５３，５５を形成する。上板４３に先端折曲部４５、後端垂設部４７を形成する。中間部材４９、連結帯５９、底壁３１の先端部３１ａを、折り曲げ位置Ｂ１にて１８０度図３の右方に折り曲げる。
【００２７】
両側壁３９、４１、導体加締め片１９、１９、被覆電線加締め片２１、２１を紙面垂直方向に起立するよう折り曲げる。これにより、弾性押圧片３３に載置された中間部材４９は、傾斜部５３，５５の上方に突起５７，５７が配置され、弾性押圧片３３と突起５７，５７に挟まれて保持される。中間部材４９の保持が完了したなら、連結帯５９を底壁３１の一部と共にブランキングして切除し、中間部材４９を切り離し別体とする。最後に、天壁３７、上板４３の順に折り曲げ、角筒状電気接触部１３の形成を完了する。
【００２８】
このように、雌型端子１００では、別体の中間部材４９を弾性押圧片３３上に載置した状態で、角筒状電気接触部１３を折り曲げ形成する場合の中間部材４９の困難な仮保持が不要となる。すなわち、中間部材４９を連結帯５９にて片持ち梁状に保持した状態で、角筒状電気接触部１３の折り曲げ加工が容易に可能となり、別体の中間部材４９を別段に保持する必要がなくなり、生産性を向上させることができる。また、弾性押圧片３３を押下した状態、すなわち、中間部材４９に後述の予荷重を加えた状態での組み付けも容易に可能となる。
【００２９】
図４は異なる凸条の形成された中間部材を（ａ）（ｂ）で示した斜視図である。
本実施の形態では、中間部材４９の平行接触部５１が平面で形成される。つまり、中間部材４９は、雄端子タブ１１の下面に面接触する。これにより、雄端子タブ１１との接触面積を増大させ、安定的な接触状態が維持される。一方、平行接触部５１の接触面には、複数の平行な凸条６３を形成してもよい。凸条６３は、図４（ａ）に示す中間部材４９Ａのように、雄端子挿入方向ａと平行に形成してもよく、図４（ｂ）に示す中間部材４９Ｂのように、雄端子挿入方向ａに直交方向に形成してもよい。平行接触部５１に凸条６３を形成することにより、雄端子タブ１１と中間部材４９の接触面積を、従来端子（図１０に示した弾性押圧片５０１による線接触のみのもの）に比べて増大させ、安定的な電気接続性を確保しつつ、雄端子タブ１１との摩擦を低減させ、コネクタ結合時の作業性低下を防止できる。
【００３０】
図５は雄端子タブの挿入された状態の雌型端子の一部分を切り欠いた側面図である。
次に、雌型端子１００の作用を説明する。
雌型端子１００では、雄端子タブ１１が角筒状電気接触部１３の開口部２７から挿入され、雄端子タブ１１の先端が中間部材４９に達すると、中間部材４９を弾性押圧片３３の付勢力に抗して押し下げる。押し下げられた中間部材４９は、弾性押圧片３３からの弾性復元力にて平行接触部５１が雄端子タブ１１の下面に平行に接触する。つまり、雄端子タブ１１は、上面が天壁３７に接触部Ｔ１にて面接触し、下面が中間部材４９に接触部Ｔ２にて面接触した状態で挟持される。
【００３１】
雄端子タブ１１は、一対の上下平行面に挟持されることで、従来構造のように、接触部Ｐ（図１１参照）を支点に斜めに傾かなくなる。仮に過大な衝撃等により接触部Ｐ１、Ｐ２を支点に傾いても中間部材４９が雄端子タブ１１の下面に平行となったまま面接触状態を保つ。これにより、接触部の摩耗による酸化摩耗粉の堆積が無くなる。また、接触面が増大することで、安定的な接触状態が持続される。さらに、酸化摩耗粉が生じても、接触面が拡大されていることで、酸化摩耗粉が介在することによる電気的接続性能の低下が生じ難くなる。
【００３２】
なお、本実施の形態では、弾性押圧片３３及び中間部材４９が角筒状電気接触部１３の底壁３１側のみに設けられるが、これら弾性押圧片３３及び中間部材４９は、上板４３、天壁３７に設けられてもよい。すなわち、図示は省略するが、上板４３に弾性押圧片３３を形成し、天壁３７を利用して中間部材４９を形成する。この場合、突起５７，５７は、両側壁３９、４１の前後上下に四対設ける。このような上下二段に中間部材４９、４９を配設した構成によれば、接触部Ｐ１、Ｐ２を支点に雄端子タブ１１が傾いても中間部材４９、４９が雄端子タブ１１の上下面に平行となったまま面接触状態を保ち、より安定的な接触状態を持続できる。
【００３３】
図６は雄端子タブが斜めに挿入された状態の雌型端子の一部分を切り欠いた側面図である。
雌型端子１００は、中間部材４９における傾斜部５３，５５の下端部がストッパー片６５，６５として機能する。すなわち、ストッパー片６５，６５は、中間部材４９の雄端子挿入方向ａの両端部（つまり、傾斜部５３，５５）に、弾性押圧片３３の押圧方向（矢印ｃ方向）と反対方向（図６の下方向）に向かって突出する。ストッパー片６５，６５は、中間部材４９が押下された際、底壁３１に当接することで、弾性押圧片３３の過剰変形を規制する。
【００３４】
ストッパー片６５，６５を設けることで、図６に示すように、雄端子タブ１１が斜めに挿入され、弾性押圧片３３が過剰に変形されようとした際、ストッパー片６５，６５が底壁３１に当接し、それ以上の変形が阻止される。これにより、弾性押圧片３３が弾性限度を超え、所定の接触圧力が得られなくなることによる電気的接続性能の低下が防止されるようになっている。
【００３５】
図７はばね変位量が小さく抑えられた発明に係る雌型端子の一部分を切り欠いた側面図である。
雌型端子１００は、雄端子タブ１１の挿入されていない通常状態において、弾性押圧片３３にて中間部材４９を押圧する予荷重が加えられていても良い。つまり、図７（ａ）の状態で、弾性押圧片３３は下方へ押し下げられた状態となっている。これにより、中間部材４９には弾性押圧片３３の弾性復元力による予荷重が加えられている。図７（ｂ）に示すように、この状態で雄端子タブ１１が挿入されれば、中間部材４９が押し下げられ、弾性押圧片３３はさらに下方へ押し下げられることとなる。ここで、雄端子タブ１１が挿入されることによる中間部材４９の押し下げ量を、弾性押圧片３３のばね変位量Ｘとする。
【００３６】
なお、弾性押圧片３３にて余荷重を加えるということは、突起５７，５７と中間部材４９との間のクリアランスを小さくすることと言い換えることもできる。この場合、突起５７，５７と中間部材４９の傾斜部５３，５５との間のクリアランスは、展開材料の板厚以下の寸法とすることが望ましい。例えば、０．２５±０．０５ｍｍとする。
また、中間部材４９に予荷重を加えるためには、弾性押圧片３３の底壁３１からの切り起こし角度を大きくする、あるいは、両側壁３９、４１に形成する突起５７，５７の位置を底壁３１側に下げて達成できる。
【００３７】
図８はばね変位量が大きい比較例に係る雌型端子の一部分を切り欠いた側面図である。
一方、中間部材４９に予荷重が加えられない構成では、図８（ａ）に示すように、起立した弾性押圧片３３の上に、中間部材４９が単に載置されるだけとなる。この場合、雄端子タブ１１に対する所定接触押圧力を得るため、中間部材４９の押し下げ量である弾性押圧片３３のばね変位量Ｙは、上記のばね変位量Ｘよりも大きくなる（Ｘ＜Ｙ）。つまり、所定接触押圧力を得るため大きな押し下げ距離（ストローク）が必要となる。
【００３８】
図９は比較例に係る雌型端子において中間部材が動いた状態を（ａ）（ｂ）に示す一部分を切り欠いた側面図である。
図８に示した予荷重を加えない構成では、雌型端子１００の雄端子タブ１１を挿入しない状態での運搬中など、中間部材４９が図９（ａ）に示すように前側へずれたり、図９（ｂ）に示すように傾斜部５５と突起５７に隙間６７が生じたりする虞がある。中間部材４９がこのように移動すると、中間部材４９と側壁３９、４１に摩耗が発生し、生じた酸化摩耗粉が接点に付着することで、その後の導通不良の原因となる。
【００３９】
これに対し、中間部材４９に予荷重を加えることで、中間部材４９を挟持して不要な動きを抑止し、運搬中の摩耗による酸化摩耗粉の発生を防止することができる。また、予荷重を中間部材４９に加えておくことで、中間部材４９の小さな変位量（ストローク）にて雄端子タブ１１を挿入でき、コネクタ結合時の挿入力を小さくして、組立作業性を高めることができる。
【００４０】
したがって、上記した雌型端子１００によれば、挿入された雄端子タブ１１を押圧する弾性押圧片３３を、角筒状電気接触部１３の内部に設け、雄端子タブ１１と平行に接触する平行接触部５１を有した中間部材４９を、雄端子タブ１１と弾性押圧片３３の間に介在するよう角筒状電気接触部１３内に別体で保持したので、雄端子タブ１１と安定的な接触状態が持続し、接触部の摩耗による電気的接続性能の低下を防止できる。この結果、長寿命で、接触信頼性に優れた雌型端子１００を提供することができる。
【符号の説明】
【００４１】
１１  雄端子タブ（雄端子電気接触部）
１３  角筒状電気接触部
２７  開口部
２９  基端
３１  底壁（一つの内壁面に対向する他の内壁面）
３３  弾性押圧片
３７  天壁（一つの内壁面）
３９、４１  両側壁
４９  中間部材
５１  平行接触部
５７  突起
５９  連結帯
６１  展開材料
６３  凸条
６５  ストッパー片
１００  雌型端子
ａ  雄端子挿入方向
ｃ  弾性押圧片の押圧方向
【図１】
2010251205.tif 000003
【図２】
2010251205.tif 000004
【図３】
2010251205.tif 000005
【図４】
2010251205.tif 000006
【図５】
2010251205.tif 000007
【図６】
2010251205.tif 000008
【図７】
2010251205.tif 000009
【図８】
2010251205.tif 000010
【図９】
2010251205.tif 000011
【図１０】
2010251205.tif 000012
【図１１】
2010251205.tif 000013
【図１２】
2010251205.tif 000014